(57)【要約】【課題】  釣竿用キャップを取り付けた場合であっても、釣竿の釣糸ガイドに衝撃が加えられるのを防止可能な釣竿用のガイドプロテクタを提供すること。【解決手段】  釣竿１２の先端部に装着して用いられ、釣竿の釣糸ガイド２２ｂ−２２ｈを保護する釣竿用のガイドプロテクタ１４は、前部開口部５２ａと後部開口部５２ｂとを有し、軟質材で形成された筒状部５２と、筒状部の後部開口部の後方側に形成され、釣竿の先端部の外周に配設されるとともに釣糸ガイドを筒状部の軸方向に沿って整列させる縁部５４ａを有する延出部５４と、筒状部に設けられ、後部開口部から前部開口部に向かって形成され、釣糸ガイドの幅よりも開口幅が小さい溝部５８とを有する。筒状部の溝部に釣糸ガイドを配置可能とした。【選択図】    図６
2012070637.tif 000002
【特許請求の範囲】
【請求項１】
釣竿の先端部に装着して用いられ、釣竿の釣糸ガイドを保護する釣竿用のガイドプロテクタであって、
少なくとも後部開口部を有する軟質材で形成された筒状部と、
前記筒状部の後部開口部の後方側に形成され、釣竿の先端部の外周に配設されるとともに釣糸ガイドを前記筒状部の軸方向に沿って整列させる縁部を有する延出部と、
前記筒状部に設けられ、前記後部開口部から前記筒状部の前部に向かって形成され、前記釣糸ガイドの幅よりも開口幅が小さい溝部と
を具備し、
前記筒状部の前記溝部に前記釣糸ガイドを配置可能としたことを特徴とするガイドプロテクタ。
【請求項２】
前記筒状部の後部開口部には、前記釣糸ガイドが当接され、前記溝部を両端部の間に有する度当て部が形成されていることを特徴とする請求項１に記載のガイドプロテクタ。
【請求項３】
前記溝部は、前記筒状部の後部開口部から前部に、前記筒状部の軸方向に沿って形成されていることを特徴とする請求項１もしくは請求項２に記載のガイドプロテクタ。
【請求項４】
前記筒状部の前部は前部開口部を有し、
前記前部開口部には、前記溝部に対向する位置に切り欠き部が形成されていることを特徴とする請求項１ないし請求項３のいずれか１に記載のガイドプロテクタ。
【発明の詳細な説明】
【技術分野】
【０００１】
この発明は、釣竿のガイドを保護する釣竿用のガイドプロテクタに関する。
【背景技術】
【０００２】
例えば特許文献１に開示されているように、従来から釣竿の運搬時等に、釣竿の先端部に装着する硬質材で形成された釣竿用キャップが使用されている。釣竿用キャップは釣竿の穂先部を保護するために装着する。この釣竿用キャップは、釣糸ガイドを有する釣竿に装着する場合は釣糸ガイドを挿通する切り欠き部が形成されている。したがって、この釣竿用キャップを釣竿の先端部に装着すると、その切り欠き部に沿って釣糸ガイドを整列させることができ、釣竿の運搬時等に釣糸ガイドが周方向及び長手方向に移動するのが規制される。
【先行技術文献】
【特許文献】
【０００３】
【特許文献１】実開昭５９−１１３０７２号公報
【発明の概要】
【発明が解決しようとする課題】
【０００４】
ところが、このような釣竿用キャップが釣竿の先端部に装着された状態で、運搬中などに釣竿を落としてしまったときなどに釣竿用キャップを地面に突いてしまう可能性がある。このような場合、釣竿用キャップに収納された釣竿の釣糸ガイドが釣竿用キャップの切り欠き部の先端に当たって衝撃を受けるおそれがある。
【０００５】
この発明は、このような課題を解決するためになされたもので、釣竿用キャップを取り付けた場合であっても、釣竿の釣糸ガイドに衝撃が加えられるのを防止可能な釣竿用のガイドプロテクタを提供することを目的とする。
【課題を解決するための手段】
【０００６】
この発明に係る、釣竿の先端部に装着して用いられ、釣竿の釣糸ガイドを保護する釣竿用のガイドプロテクタは、後部開口部を有し軟質材で形成された筒状部と、前記筒状部の後部開口部の後方側に形成され、釣竿の先端部の外周に配設されるとともに釣糸ガイドを前記筒状部の軸方向に沿って整列させる縁部を有する延出部と、前記筒状部に設けられ、前記後部開口部から前部に向かって形成され、前記釣糸ガイドの幅よりも開口幅が小さい溝部とを具備し、前記筒状部の前記溝部に前記釣糸ガイドを配置可能としたことを特徴とする。
【０００７】
また、前記筒状部の後部開口部には、前記釣糸ガイドが当接され、前記溝部を両端部の間に有する度当て部が形成されていることが好適である。  
また、前記溝部は、前記筒状部の後部開口部から前部に、前記筒状部の軸方向に沿って形成されていることが好適である。  
また、前記筒状部の前部は前部開口部を有し、前記前部開口部には、前記溝部に対向する位置に切り欠き部が形成されていることが好適である。
【発明の効果】
【０００８】
この発明によれば、釣糸ガイドの幅よりも開口幅が小さい筒状部の溝部に釣糸ガイドを配置可能としたことによって、釣竿にガイドプロテクタを装着した状態で前部が後方に動くような力が加えられて、釣糸ガイドが筒状部の後部開口部に当接したときに筒状部の肉部を押しのけて溝部内に釣糸ガイドを入れ込むことができる。したがって、釣糸ガイドに衝撃が加えられるのを防止でき、釣糸ガイドに加えられる力を小さくできる。
【０００９】
度当て部が形成されていることによって、釣糸ガイドが度当て部に突き当てられることがあるが、筒状部が軟質材で形成されていることによって、度当て部に突き当てられたときに釣糸ガイドに衝撃が加えられるのを防止できる。また、度当て部と延出部の縁部とによって、釣糸ガイドが整列した状態を維持した状態で溝部に釣糸ガイドを導入することができる。  
溝部が筒状部の後部開口部から前部に、筒状部の軸方向に沿って形成されていることによって、釣糸ガイドを真っ直ぐに移動させることができるので、釣糸ガイドが整列した方向以外から力を受けるのを極力防止できる。  
筒状部の前部開口部には、前記溝部に対向する位置に切り欠き部が形成されていることによって、釣糸ガイドが溝部に入り込もうとするときに筒状部が変形し易くなる。このため、釣糸ガイドに衝撃が加えられるのをより確実に防止できる。
【図面の簡単な説明】
【００１０】
【図１】第１実施形態に係る、釣竿の先端にガイドプロテクタ及び釣竿保護キャップを取り付けた釣り具を示す概略的な縦断面図。
【図２】第１実施形態に係る、釣竿の先端にガイドプロテクタを取り付けた釣り具を示し、図３中のＩＩ−ＩＩ線に沿う概略的な縦断面図。
【図３】第１実施形態に係る、釣竿の先端に取り付けられるガイドプロテクタを示す、図２中の矢印ＩＩＩ方向から見た概略的な平面図。
【図４】第１実施形態に係る、釣竿の先端に取り付けられるガイドプロテクタを示す、図３中のＩＶ−ＩＶ線に沿う概略的な横断面図。
【図５】第１実施形態に係る、釣竿の先端に取り付けられるガイドプロテクタを示す、図２中の矢印Ｖ方向から見た概略的な底面図。
【図６】第１実施形態に係る、ガイドプロテクタの溝部に度当て部から釣糸ガイドの支脚部が入り込んだ状態／入り込んで行く状態を示す概略的な平面図。
【図７】第２実施形態に係る、釣竿の先端に取り付けられるガイドプロテクタを示す、図２中の矢印ＩＩＩ方向から見た概略的な平面図。
【図８】第３実施形態に係る、釣竿の先端に取り付けられるガイドプロテクタを示す、図２中の矢印ＩＩＩ方向から見た概略的な平面図。
【図９】第４実施形態に係る、釣竿の先端に取り付けられるガイドプロテクタを示す、図２中の矢印ＩＩＩ方向から見た概略的な平面図。
【発明を実施するための形態】
【００１１】
以下、図面を参照しながらこの発明を実施するための形態について説明する。
【００１２】
第１実施形態について図１から図６を用いて説明する。  
図１に示すように、本実施形態に係る釣り具１０は、釣竿１２と、ガイドプロテクタ（内キャップ）１４と、釣竿保護キャップ（外キャップ）１６とを有する。図１に示す釣竿１２は、釣糸誘導ガイド２２ａ−２２ｈが各竿部２４ａ−２４ｈの先端に取り付けられた振出竿であり、振出竿を収納状態にしてその釣竿１２の先端にガイドプロテクタ１４及び釣竿保護キャップ１６を着脱可能に装着した状態を示す。元竿２４ｈには、複数本の中竿２４ｂ−２４ｇと穂先竿２４ａが順次収納される。なお、図２は図１に示す状態から釣竿保護キャップ１６を外した状態を示す。本実施形態の釣糸誘導ガイド２２ａ−２２ｈは、それぞれ支脚部２６ａ−２６ｈを有する。
【００１３】
図１に示す釣竿保護キャップ１６は、略円筒状に形成された外殻部３２が硬質のプラスチック材で形成されている。外殻部３２は一端が閉塞され、他端及び他端に連続する側面に開口３４が形成されている。外殻部３２の一端の内部には、穂先竿２４ａのトップガイド２２ａを保護するため、例えばスポンジ状のクッション３６が固定されている。  
また、外殻部３２の他端側の側面には、軟質のベルト３８が配置され、釣竿１２の竿部２４ｈの外周及びガイドプロテクタ１４の後述する延出部５４を一緒に巻いて保持することができる。
【００１４】
図１及び図２に示すように、ガイドプロテクタ１４は、前部開口部５２ａ及び後部開口部５２ｂを有する筒状部（本体）５２と、筒状部５２の後端の後部開口部５２ｂから後方に延出された延出部５４とが一体的に形成されている。  
なお、図１及び図２は、穂先竿２４ａのトップガイド２２ａが筒状部５２の内周面に触れない程度に形成している。すなわち、穂先竿２４ａは筒状部５２の内部を自在に移動可能である。ただし、穂先竿２４ａのトップガイド２２ａは、釣糸誘導ガイド２２ｂのように、後述する度当て部５６に度当てされるように形成されていても良い。
【００１５】
図１から図６に示すガイドプロテクタ１４は、軟質材の合成ゴムやプラスチック材のエラストマー等で筒状部５２及び延出部５４が一体に形成されている。ガイドプロテクタ１４は、少なくとも取り付けた釣竿１２の竿部２４ａ−２４ｈの釣糸誘導ガイド２２ａ−２２ｈよりも軟らかい材料からなり、釣竿１２を落下させた衝撃で釣糸誘導ガイド２２ａ−２２ｈが挿圧されると歪む程度の軟質材で形成されている。ガイドプロテクタ１４は、例えば親指と人差し指とで筒状部５２の外周面を押圧して筒状部５２の対向する内周面同士を近づけたときに、筒状部５２の内周面同士が当接可能である程度であることが好ましい。ガイドプロテクタ１４が形成される軟質材としては、例えば塩化ビニル、ポリウレタン等が用いられ、これは透明であっても良いし、好みの色に着色されていても良い。
【００１６】
後部開口部５２ｂは、中心軸Ｃに直交する図３、図５及び図６中に破線（仮想線）で示す位置にある。後部開口部５２ｂは筒状部５２の円周の一部のみ明確に現れる部分があり、後部開口部５２ｂのうち、その現れる部分は釣糸誘導ガイド２２ｂが当たるようになっており、例えば釣糸誘導ガイド２２ｂのリング部分や支脚部２６ｂが度当てされる度当て部５６である。すなわち、筒状部５２の後部開口部５２ｂは、図３、図５及び図６中に破線（仮想線）で示す略Ｃ字状の仮想的部分と、度当て部（段部）５６とで円環状に形成されている。本実施形態では、度当て部５６はガイドプロテクタ１４の中心軸Ｃに対して例えば直交する面として形成されている。度当て部５６は、後部開口部５２ｂの溝部５８側に設けたガイド（釣糸誘導ガイド２２ａ−２２ｈ）が当接して溝部５８側に移動することを阻止する段部で、後部開口部５２ｂは度当て部５６に連なる溝部５８に変移する部位に形成される。  
なお、ガイドプロテクタ１４の筒状部５２は、図１及び図２に示すように中竿２４ｂに穂先竿２４ａが収納されたときに、中竿２４ｂの先端から穂先竿２４ａが突出した長さよりも長く形成されている。
【００１７】
図３、図４及び図６に示すように、筒状部５２には、後部開口部５２ｂの度当て部５６から前部開口部５２ａに向かって中心軸Ｃと平行に溝部（スリット）５８が形成されている。すなわち、度当て部５６の一端５６ａ及び他端５６ｂの両者の間に溝部５８の後端が配設されている。溝部５８は、図１及び図２に示すように、筒状部５２の肉部の厚さ方向には、外周面から内周面の間に形成されている。溝部５８は通常の状態（釣竿１２の先端部に装着された状態）では筒状部５２の形状を円筒状に保持するように溝部５８の両側が当接して閉じた状態にあるが、度当て部５６に釣糸誘導ガイド２２ｂが当接された状態で前部に向かって力が加えられたときに容易に開いて釣糸誘導ガイド２２ｂを溝部５８に入れることができる。釣糸誘導ガイド２２ｂの幅（中心軸Ｃに対して直交する方向の幅）Ｗは、当然ながら、溝部５８の幅（ここでは閉じた状態にあるので幅がない）よりも大きい。
【００１８】
なお、図１及び図２に示すように、トップガイド２２ａは中心軸Ｃから筒状部５２の内周面に接触しない程度に小さくても良いし、度当て部５６に度当てされる程度の大きさであっても良い。
【００１９】
一方、図１、図２及び図５に示すように、前部開口部５２ａは、中心軸Ｃに直交する略Ｃ字状の端面６０ａと、中心軸Ｃに斜交した傾斜端面（切り欠き部）６０ｂとを有する。傾斜端面６０ｂは溝部５８の前方側端部５８ａに対向する位置に形成されている。このように、傾斜端面６０ｂが形成され、かつ、傾斜端面６０ｂが溝部５８の前方側端部５８ａの近くにあるので、筒状部５２の肉部を減らし、筒状部５２が円筒状を保とうとする力を弱めることができる。したがって、筒状部５２の度当て部５６に力が加えられたときに溝部５８の周囲の部分を容易に変形させて、図６に示すように、釣糸誘導ガイド２２ｂ，２２ｃの支脚部２６ｂ，２６ｃを容易に溝部５８の間に入れることができる。
【００２０】
なお、傾斜端面６０ｂは選択する材料、肉厚、溝部５８の長さ等によっては形成しなくても良い。また、傾斜端面６０ｂを形成する場合、図１から図３に示す溝部５８と同様に前部開口部５２ａから後部開口部５２ｂに向かって中心軸Ｃに平行な溝（切り欠き部）として形成されていることも好ましい。  
前部開口部５２ａ自体が形成されず、前部を閉塞した形状であることも好適である。この場合、筒状部５２の前部が閉塞されているので、穂先竿２４ａ及びトップガイド２２ａがガイドプロテクタ１４の前部から前方に突出するのが防止されている。したがって、筒状部５２は軟質材で形成され、かつ、前部が閉塞されているので、釣竿１２の先端部を保護できる。この場合、釣竿保護キャップ１６に設けられたベルト３８がガイドプロテクタ１４の延出部５４に設けられていることが好ましい。この場合、ガイドプロテクタ１４は釣竿保護キャップ１６の機能を兼ねるので、本実施形態において、釣竿保護キャップ１６が必ずしも設けられる必要はない。
【００２１】
図３に示すように、延出部５４は、後部開口部５２ｂの略Ｃ字状の仮想的部分から後方に延出されている。後部開口部５２ｂのうち、度当て部５６よりも略Ｃ字状の仮想的部分の長さが長い。これは、延出部５４の縁部５４ａによって、筒状部５２の中心軸Ｃに平行に釣糸誘導ガイド２２ａ−２２ｈを整列させた状態で度当て部５６に釣糸誘導ガイド２２ｂを度当てするためである。また、後部開口部５２ｂのうち、度当て部５６よりも略Ｃ字状の仮想的部分の長さが長いことによって、延出部５４が筒状の一部の形状を容易に維持することができる。
【００２２】
ガイドプロテクタ１４の延出部５４は、縁部５４ａが図１に示すガイドプロテクタ１４の中心軸Ｃに対して交差するように、円筒が斜めに切り削がれた状態に形成されている。このため、筒状部５２には、後方側に向かって延出部５４が形成され、その延出部５４の縁部５４ａの内側はガイド挿通用開口部５４ｂである。延出部５４の縁部５４ａのガイド挿通用開口部５４ｂは釣糸誘導ガイド２２ａ−２２ｈを自由に配置することができる。このため、延出部５４は各竿部２４ａ−２４ｈのうち、釣糸誘導ガイド２２ａ−２２ｈが配置された部位に対して反対側の部位をガイドプロテクタ１４に誘導する誘導路として機能する。
【００２３】
次に、このようなガイドプロテクタ１４を釣竿１２の先端部に装着したときの作用について説明する。  
図１及び図２に示すように、ガイドプロテクタ１４及び釣竿保護キャップ１６を釣竿１２の先端部に装着する。すなわち、例えばトップガイド２２ａよりも大きい釣糸誘導ガイド２２ｂ−２２ｈがガイドプロテクタ１４の延出部５４のガイド挿通用開口部５４ｂ、釣竿保護キャップ１６の外殻部３２の開口３４から突出された状態に配置されている。そして、釣竿保護キャップ１６の外殻部３２のベルト３８によって釣糸誘導ガイド２２ｂ−２２ｈがガイドプロテクタ１４及び釣竿保護キャップ１６の外殻部３２から抜けないようにしている。
【００２４】
この状態で釣竿保護キャップ１６を地面等に突き当てると、ガイドプロテクタ１４の前部開口部５２ａが釣竿保護キャップ１６のクッション３６に突き当てられる。また、釣竿保護キャップ１６を地面等に突き当てる勢いで釣糸誘導ガイド２２ｂが度当て部５６に度当てされる。ガイドプロテクタ１４は軟質材で形成されているので、図６のように筒状部５２の肉部を押しのけて閉じた溝部５８を開いて、釣糸誘導ガイド２２ｂ，２２ｃの支脚部２６ｂ，２６ｃを溝部５８内に移動させ、この中に配設されるようにする。このとき、筒状部５２の前部開口部５２ａに傾斜端部６０ｂが形成されていることにより、傾斜端部６０ｂが存在しない場合よりも筒状部５２の溝部５８が容易に変形する。このため、傾斜端部６０ｂが形成されているときは、より弱い衝撃に対しても釣糸誘導ガイド２２ｂ，２２ｃの支脚部２６ｂ，２６ｃを溝部５８に配置することができる。
【００２５】
なお、図１及び図２に示すように、本実施形態では釣糸誘導ガイド２２ｂが度当て部５６に度当てされた状態を示したが、図６の釣糸誘導ガイド２２ｂ，２２ｃが溝部５８内に移動した状態のように、釣竿（振出竿）１２を収納する際に溝部５８に釣糸誘導ガイド２２ｂ，２２ｃの支脚部２６ｂ，２６ｃを配置した状態で収納しても良い。この場合、釣糸誘導ガイド２２ｂ−２２ｈに衝撃が加えられるのを防止しつつ、釣糸誘導ガイド２２ｂ，２２ｃをガイドプロテクタ１４に対して動かないように保持することができる。
【００２６】
本実施形態によれば、釣糸誘導ガイド２２ｂの幅よりも開口幅が小さい筒状部５２の溝部５８に釣糸誘導ガイド２２ｂの支脚部２６ｂを配置可能としたことによって、釣竿１２にガイドプロテクタ１４を装着した状態でガイドプロテクタ１４の前部が後方に動くような力が加えられて、釣糸ガイド２２ｂが筒状部５２の後部開口部５２ｂに当接したときに筒状部５２の肉部を押しのけて溝部５８に釣糸誘導ガイド２２ｂ，２２ｃの支脚部２６ｂ，２６ｃを入れ込むことができる。したがって、釣竿１２の先端部のガイドプロテクタ１４を地面等に突き当てたことによる釣糸誘導ガイド２２ｂ−２２ｃに加えられる衝撃を緩和でき、釣糸誘導ガイド２２ｂ−２２ｈに加えられる力を小さくできる。  
度当て部５６が形成されていることによって、釣糸誘導ガイド２２ｂのリング部や支脚部２６ｂが度当て部５６に突き当てられることがあるが、筒状部５２が軟質材で形成されていることによって、度当て部５６に突き当てられたときに釣糸誘導ガイド２２ｂに衝撃が加えられるのを防止できる。すなわち、度当て部５６を釣糸誘導ガイド２２ｂに対する第１緩衝部として機能させ、溝部５８を第２緩衝部として機能させることができる。また、度当て部５６と延出部５４の縁部５４ａとによって、釣糸誘導ガイド２２ｂが整列した状態を維持しながら溝部５８に釣糸誘導ガイド２２ｂ，２２ｃの支脚部２６ｂ，２６ｃを導入することができる。  
溝部５８が筒状部５２の後部開口部５２ｂから前部開口部５２ａに、筒状部５２の中心軸Ｃの方向に沿って形成されていることによって、釣糸誘導ガイド２２ｂ，２２ｃの支脚部２６ｂ，２６ｃを後部側から前部側に向かって真っ直ぐに移動させることができるので、釣糸誘導ガイド２２ｂ−２２ｈが整列した状態を維持でき、釣糸誘導ガイド２２ｂ−２２ｈが整列した方向以外から力を受けるのを極力防止できる。  
筒状部５２の前部開口部５２ａには、溝部５８に対向する位置に傾斜端部（切り欠き部）６０ｂが形成されていることによって、釣糸誘導ガイド２２ｂ，２２ｃの支脚部２６ｂ，２６ｃが溝部５８に入り込もうとするときに筒状部５２の溝部５８が開くように変形し易くなる。したがって、釣糸誘導ガイド２２ｂ，２２ｃの支脚部２６ｂ，２６ｃを容易に溝部５８に導入でき、釣糸誘導ガイド２２ｂ−２２ｈに衝撃が加えられるのをより確実に防止できる。
【００２７】
次に、第２実施形態について図７を用いて説明する。本実施形態は第１実施形態の変形例である。  
図７に示すガイドプロテクタ１４は、度当て部５６に導入部５６ｃが形成されている。なお、導入部５６ｃは、度当て部５６と溝部５８との間に形成され、度当て部５６から溝部５８に連なる傾斜状部で、その後部側の幅は、釣糸誘導ガイド２２ｂ，２２ｃの幅Ｗに対して大きくても小さくても良い。  
このため、釣糸誘導ガイド２２ｂを導入部５６ｃに連続した溝部５８に容易に導くことができる。このとき、溝部５８の後部側の導入部５６ｃでは筒状部５２の肉部同士が突き合わせられていないので、第１実施形態で説明した形状よりも、より小さい力で釣糸誘導ガイド２２ｂ，２２ｃの支脚部２６ｂ，２６ｃを溝部５８に導くことができる。
【００２８】
次に、第３実施形態について図８を用いて説明する。本実施形態は第１、第２実施形態の変形例である。  
図８に示すガイドプロテクタ１４においては、符号５８ａで示す略Ｖ字状の溝部の幅は両側が当接しない開いた状態に形成され、後部開口部５２ｂ側が前部開口部５２ａ側よりも大きい例である。なお、溝部５８ａの後部開口部５２ｂ側の幅は釣糸誘導ガイド２２ｂ，２２ｃの幅Ｗよりも小さいことが好ましい。釣糸誘導ガイド２２ｂ，２２ｃが溝部５８ａに入り込む際に、より筒状部５２を容易に変形させて、容易に溝部５８ａに入り込むので、釣糸誘導ガイド２２ｂ，２２ｃに衝撃が加えられるのをより確実に防止できる。  
また、溝部５８ａは後部開口部５２ｂ側から前部開口部５２ａ側に向けて徐々に幅が小さくなるため、釣糸誘導ガイド２２ｂ，２２ｃが入り込んだときはその衝撃が徐々に緩和され、より破損を防止できる。
【００２９】
次に、第４実施形態について図９を用いて説明する。本実施形態は第１−第３実施形態の変形例である。  
図９に示すガイドプロテクタ１４は、度当て部５６が図７に示す導入部を兼ねた形状の例である。また、溝部５８は、図８に示す状態の符号５８ａで示す略Ｖ字状の溝の先端にさらに前部開口部５２ａ側に延びたスリット状の溝５８ｂが形成された例である。そして、図９に示す例では、延出部５４の縁部５４ａから例えば滑らかに連続する曲面や斜面として形成された緩やかな段部（度当て部）５６ｄを経て溝部５８に連続している。第１実施形態では度当て部５６が中心軸Ｃに対して直交し、長手方向に向かう溝部５８に連続する段部を形成しているが、第４実施形態では度当て部５６ｄが中心軸Ｃに対して傾斜して形成されて、溝部５８ｂに連なるための度当て部５６ｄから溝部５８ｂに９０度よりも小さい角度変化で変移している。  
なお、溝部５８ａの後部開口部５２ｂ側の幅は釣糸誘導ガイド２２ｂ，２２ｃの幅Ｗよりも大きくても小さくても良い。  
このようにしても、溝部５８（５８ａ，５８ｂ）に釣糸誘導ガイド２２ｂ，２２ｃを確実に導くことができる。  
なお、段部（度当て部）５６ｄは、必ずしも縁部５４ａから滑らかに連続している必要はなく、釣糸誘導ガイド２２ｂ，２２ｃを溝部５８に容易に導くことができる形状であれば良い。
【００３０】
また、上述した第１−第４実施形態の溝部５８の先端に、少なくとも釣糸誘導ガイド２２ｂの支脚部２６ｂの幅Ｗ程度の直径を有する例えば円形状の貫通孔が形成されていることが好ましい。このようにすると、釣糸誘導ガイド２２ｂの支脚部２６ｂによって、溝部５８の前側端部に力が加えられたとしても、溝部５８の前側端部が前部側に移動するのを防止できる。  
一方、溝部５８は筒状部５２の後部開口部５２ｂから前部開口部５２ａまで連続して形成されていても良い。この場合、ガイドプロテクタ１４は、無負荷状態では筒状部５２の溝部５８が互いの面を当接した状態にその形状を維持できる程度の軟性であることが好ましい。
【００３１】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００３２】
Ｃ…中心軸、１４…ガイドプロテクタ、２２ａ…トップガイド、２２ｂ−２２ｈ…釣糸誘導ガイド、２６ａ−２６ｈ…支脚部、５２…筒状部、５２ａ…前部開口部、５２ｂ…後部開口部、５４…延出部、５４ａ…縁部、５４ｂ…ガイド挿通用開口部、５６…度当て部、５６ａ…度当て部の一端、５６ｂ…度当て部の他端、５８…溝部。
【図１】
2012070637.tif 000003
【図２】
2012070637.tif 000004
【図３】
2012070637.tif 000005
【図４】
2012070637.tif 000006
【図５】
2012070637.tif 000007
【図６】
2012070637.tif 000008
【図７】
2012070637.tif 000009
【図８】
2012070637.tif 000010
【図９】
2012070637.tif 000011